(57)【要約】本発明は、ワイヤレス端末装置（ＭＴ）により新たな通信ネットワークを形成する方法に関する。このワイヤレス端末装置は当初は既存の集中型ネットワークの一部分であり、このネットワークには自身に対するワイヤレス端末装置の割り当てを制御可能なアクセスポイントが設けられている。ネットワークからの端末装置の割り当て解除（Ｅ４，Ｅ５）が発生した場合、本発明による方法によれば新たなネットワークを形成する手順（Ｅ６）が導入され、新たなネットワークのアクセスポイントとして端末装置が宣言される。この場合、新たなネットワークの動作パラメータは、この新たなネットワークの通信が既存のネットワークと干渉しないように設定される。
2005537696.tif 000002
【特許請求の範囲】
【請求項１】
ワイヤレス端末装置（ＭＴ）により新たな通信ネットワークを形成する方法において、
前記ワイヤレス端末装置は当初は既存の集中型ネットワークの一部分であり、該ネットワークは、該ネットワークに対するワイヤレス端末装置の割り当てを制御可能なアクセスポイント（ＡＰ／ＣＣ）を有しており、割り当てられた端末装置のために、
該端末装置を前記ネットワークから割り当て解除するステップ（Ｅ４，Ｅ５）と、
新たなネットワークを形成するための手順を開始するステップ（Ｅ６）を有しており、該ステップ（Ｅ６）において前記端末装置を新たなネットワークのアクセスポイントとして宣言し、該新たなネットワークの動作パラメータを、該新たなネットワーク上の通信が既存のネットワークと干渉しないように設定することを特徴とする、
ワイヤレス端末装置により新たな通信ネットワークを形成する方法。
【請求項２】
請求項１記載の方法において前記端末装置は、
該端末装置から周波数変更がリクエストされた後で、既存のネットワークのアクセスポイントにより該周波数変更が拒否されたケース（Ｅ３）、または、
該端末装置からコネクション確立がリクエストされた後で、既存のネットワークのアクセスポイントにより該コネクション確立が拒否されたケース（Ｅ２）、
のうち少なくとも１つのケースが発生したときに割り当て解除を行うことを特徴とする方法。
【請求項３】
請求項１または２記載の方法において、
既存のネットワークのアクセスポイントが割り当て解除を行うことを特徴とする方法。
【請求項４】
通信媒体とのインタフェース、マイクロプロセッサおよびメモリが設けられているワイヤレス端末装置（ＭＴ）において、
前記メモリ内に付加的に、既存の通信ネットワークからの割り当て解除（Ｅ４，Ｅ５）が行われたときに新たな通信ネットワークのアクセスポイントとして該端末装置を設定するプログラムが格納されていることを特徴とするワイヤレス端末装置。
【請求項５】
請求項４記載のワイヤレス端末装置において、
該端末装置から周波数変更がリクエストされた後で、既存のネットワークのアクセスポイントにより該周波数変更が拒否されたケース（Ｅ３）、または、
該端末装置からコネクション確立がリクエストされた後で、既存のネットワークのアクセスポイントにより該コネクション確立が拒否されたケース（Ｅ２）、
のうち少なくとも１つのケースが発生したときに、前記プログラムにより既存のネットワークからの割り当て解除が行われることを特徴とするワイヤレス端末装置。
【発明の詳細な説明】
【技術分野】
【０００１】
本発明は端末装置により新たなネットワークを形成する方法に関し、さらに詳しくいえば、端末装置が当初は既存のネットワークに割り当てられている場合に、この端末装置により新たなネットワークを形成する方法に関する。本発明はさらにその端末装置自体にも関する。本発明は殊に、集中制御によるワイヤレスネットワークという状況において適しているが、そのような状況に限定されるものではない。
【０００２】
HIPERLAN 2 タイプの集中型ワイヤレス通信ネットワークのリソースは限られている。多数の端末装置がこのネットワークに割り当てられると、いくつかの端末装置は自身のアプリケーションのために必要とされるリソースを確保できなくなる可能性がある。
【０００３】
文献 "ETSI TS 101 761-4 V1.4.1A (2002-5) BRAN HIPERLAN Type2, Data Link Control (DLC) Layer; Part4: Extension for Home Environment, section 6.7.1 'Dynamic Central Controller Selection / Principle' " の開示によれば、中央コントローラになることができ自身のために既存のネットワークの中央コントローラに割り当てようとする試みに失敗したワイヤレス端末は、上述の文献で述べられている中央コントローラ選択プロセスを導入してその端末自身が中央コントローラになろうと試みる。
【０００４】
本発明は、ワイヤレス端末装置により新たな通信ネットワークを形成する方法に関し、この方法は以下のことを特徴とする。すなわち、ワイヤレス端末装置は当初は既存の集中型ネットワークの一部分であり、このネットワークにはこれに対するワイヤレス端末装置の割り当てを制御可能なアクセスポイントが設けられている。そして割り当てられた端末に対し、ネットワークから端末装置を割り当て解除するステップと、新たなネットワークを形成するための手順を導入するステップとが設けられており、このステップには、新たなネットワークのアクセスポイントとして端末装置を宣言するステップが含まれており、この場合、新たなネットワークの動作パラメータは、この新たなネットワーク上の通信が既存のネットワークと干渉しないよう設定される。
【０００５】
したがって、あるネットワークに対し以前は割り当てられたがそのネットワークからは割り当て解除された端末装置により、当初のネットワークと干渉しない新たなネットワークを形成することができ、そのようにすれば新たなリソースを利用できるようになる。
【０００６】
１つの有利な実施形態によれば、端末装置が割り当て解除を開始する。この端末装置は、たとえば当初のネットワークのアクセスポイントがたとえば既存のネットワークのリソース割り当てに関するような所定のリクエストに対し望ましい応答をしなかったならば、割り当て解除を決定することができる。
【０００７】
本発明のその他の特徴や利点は、図面を参照しながら述べる以下の実施例の説明に示されている。
【０００８】
図１は、割り当て後に割り当て解除する場合の端末装置とアクセスポイントとの間の情報交換について示す図である。図２は、アクセスポイントによる周波数変更開始が拒否された場合の図１と同じタイプの図である。図３は、コネクション確立が拒否された場合の図１と同じタイプの図である。図４は、実施形態による方法のフローチャートである。
【０００９】
本実施形態はHIPERLAN 2 通信ネットワークの状況に合わせられている。HIPERLAN 2 は ETSI (European Telecommunications Standard Institute) により策定中の標準である。約５ＧＨｚの電波で通信が行われるこの種のネットワークの場合、アクセスポイント Access Point (AP) または中央コントローラ Central Controller (CC) と呼ばれるユニットは、伝送媒体に対する他のネットワークデバイスのアクセスを管理する。これら他のネットワークデバイスは、ワイヤレス端末装置または移動端末装置 Mobile Terminal (MT) と呼ばれる。ネットワークにアクセスできるようにする目的で、ワイヤレス端末装置はまずアクセスポイントに割り当てられなければならない。これに関連する手順はたとえば以下の文献に示されている：
"ETSI TS 101 761-2 V.1.4.1A (2002-05) Broadband Radio Access Networks (BRAN); HIPERLAN Type 2: Data Link Control (DLC) Layer; Part 2: Radio Link Control (RLC) Sublayer" 殊に第５．１章の "Services supporting ACF (Association Control Function)"。
【００１０】
本実施形態によれば、ワイヤレス端末装置がアクセスポイントに割り当てられないことまたは割り当てられたワイヤレス端末装置が割り当て解除されることについて様々な理由が挙げられる。
【００１１】
図１は、アクセスポイントＡＰ／ＣＣおよびワイヤレス端末装置ＭＴをもつネットワークを示す図である。このネットワークにおける他のワイヤレス端末装置は、ここには描かれていない。ワイヤレス端末装置は典型的には、通信媒体（ワイヤレスネットワーク）とのインタフェースならびにアプリケーションおよび適切なプロトコルを実行するマイクロプロセッサを有しており、そのためのコードが端末装置内部のメモリに格納されている。図１には、ワイヤレス端末装置ＭＴをアクセスポイントＡＰ／ＣＣに割り当てようと試みている間に２つのデバイス間で交換される情報が示されている。ワイヤレス端末装置がいったんアクティブ状態になると、この端末装置は無線アクティビティを分析し、先験的に割り当てを可能にする特性をもつネットワークの存在を検出する。この特性にはネットワーク識別子が含まれており、アクセスポイントにより制御されるデータフレーム内でブロードキャストされる。
【００１２】
端末装置はアクセスポイントとのダイアローグをスタートさせ、サポートされているコンバージェンスレイヤのリストやワイヤレス端末装置がダイレクトモードで他のワイヤレス端末装置へ伝送できるか否かなどのパラメータを交換する。図１の場合、割り当てが行われるものとする。その後、いまや端末装置が割り当てられた状態で、アクセスポイントはこの端末装置の割り当て解除を任意に判断することができる。
【００１３】
さらにアクセスポイントに割り当てられたワイヤレス端末装置は、同じ周波数を利用する別のネットワークのデバイスによって妨害される可能性がある。そのようなケースではワイヤレス端末装置は自身が割り当てられているアクセスポイントに対し、ネットワーク周波数の変更を実施するよう要求することができる。このプロセスはＤＦＳ（ダイナミック周波数選択 Dynamic Frequency Selection）と呼ばれる。ただしアクセスポイントは周波数変更を拒否することができ、その場合、ワイヤレス端末装置は自身で割り当て解除することができる。ワイヤレス端末装置は、アクセスポイントがＤＦＳリクエストに対し所定期間内に応答しなかったならば、やはり自身で割り当て解除することができる。図２にはこのシナリオが描かれている。
【００１４】
図３には、ワイヤレス端末装置がアクセスポイントに割り当てられている状態のネットワークが示されている。この場合、ワイヤレス端末装置はアクセスポイントに対しコネクション確立リクエストを発する。アクセスポイントはこのリクエストを拒否することができ、その際、ワイヤレス端末装置に対し拒否が通知される。これはネットワーク上のトラフィックレベルがかなり高いときに起こる可能性がある。このとき本実施形態によれば、移動端末装置のアプリケーションが少なくともいくつかの種類のコネクションについてネットワークから自分自身で割り当て解除する判定を下す。本発明の実施形態によればこの割り当て解除は、他のいかなるコネクションも該当する移動端末装置をネットワークにおける必要としていない場合にのみ行われる。
【００１５】
図４には、本実施形態による方法のフローチャートが示されている。（たとえば）コネクション確立や周波数変更などのようなリクエストが拒否されると、その後、ワイヤレス端末装置は自分自身で既存のネットワークから割り当て解除を行う。既述の他の２つのケースの場合、ワイヤレス端末装置はすでに割り当て解除されている（既述の実施例ではアクセスポイントによる決定またはアクセスポイントによる割り当て拒否後）。
【００１６】
その後、ワイヤレス端末装置は自身を新たなネットワークのアクセスポイントとして設定する。
【００１７】
可能であるならば、何らかの干渉を避けるため当初のネットワークとは異なる周波数を使用するのが有利である。周波数変更拒否後に新たなネットワークが生成されると、その新たなネットワークは有利には、当初のネットワークおよび干渉を及ぼすネットワークの周波数とは異なる周波数を使用することになる。この目的で、移動端末装置は冒頭で述べた中央コントローラ選択プロセスを開始することができる。
【００１８】
新たなアクセスポイントは先験的に、新たな状態をすでに割り当てられている端末装置に知らせることはできない。ひとたび割り当て解除されたならば、新たなアクセスポイントのサーチおよびそれに対する割り当ては他の端末の役割である。
【００１９】
１つの実施形態によれば同じ既存のネットワークにおける複数の端末装置が、自身の固有のネットワークを形成するために既存のネットワークからの割り当て解除を決定することができる。その場合、これらの端末装置は、いずれの端末装置が新たなネットワークのアクセスポイントとなるのかを決定するために選択プロセスを開始する。割り当て解除決定を下すための要素を、既存のネットワークを介したデバイス間で通信することができる。したがって新たなネットワークによって、当初のネットワークのいくつかのリソースの飽和を他の周波数で作動させることにより回避することができる。
【図面の簡単な説明】
【００２０】
【図１】割り当て後に割り当て解除する場合の端末装置とアクセスポイントとの間の情報交換について示す図
【図２】アクセスポイントによる周波数変更開始が拒否された場合の図１と同じタイプの図
【図３】コネクションセットアップが拒否された場合の図１と同じタイプの図
【図４】実施形態による方法のフローチャート
【図１】
2005537696.tif 000003
【図２】
2005537696.tif 000004
【図３】
2005537696.tif 000005
【図４】
2005537696.tif 000006
【手続補正書】
【提出日】平成16年8月27日(2004.8.27)
【手続補正１】
【補正対象書類名】明細書
【補正対象項目名】０００３
【補正方法】変更
【補正の内容】
【０００３】
文献 "ETSI TS 101 761-4 V1.4.1A (2002-5) BRAN HIPERLAN Type2, Data Link Control (DLC) Layer; Part4: Extension for Home Environment, section 6.7.1 'Dynamic Central Controller Selection / Principle' " の開示によれば、中央コントローラになることができ自身のために既存のネットワークの中央コントローラに割り当てようとする試みに失敗したワイヤレス端末は、上述の文献で述べられている中央コントローラ選択プロセスを導入してその端末自身が中央コントローラになろうと試みる。
HABETHA J 等による文献 "Central controller handover procedure for ETSI-BRAN Hiperlan/2 Ad Hoc network and clustering with quality of service guarantees" によれば、中央コントローラからHiperlan/2ネットワークの他のデバイスへ制御権を譲渡することが開示されている。この場合、所定の状況において中央コントローラは、接続されている端末装置の１つを選択し、制御権に関して自分自身を置き換える。そしてこの中央コントローラは今後のコントローラに対しいくつかの管理情報を伝送し、その後、ネットワークが停止され、新たなネットワークが新たなコントローラに制御されながら開始される。
【手続補正２】
【補正対象書類名】特許請求の範囲
【補正対象項目名】全文
【補正方法】変更
【補正の内容】
【特許請求の範囲】
【請求項１】
ワイヤレス端末装置（ＭＴ）により新たな通信ネットワークを形成する方法において、
前記ワイヤレス端末装置は当初は既存の集中型ネットワークの一部分であり、該ネットワークは、該ネットワークに対するワイヤレス端末装置の割り当てを制御可能なアクセスポイント（ＡＰ／ＣＣ）を有しており、割り当てられた端末装置のために、
該端末装置を前記ネットワークから割り当て解除するステップ（Ｅ４，Ｅ５）と、
新たなネットワークを形成するための手順を開始するステップ（Ｅ６）を有しており、該ステップ（Ｅ６）において前記端末装置を新たなネットワークのアクセスポイントとして宣言し、該新たなネットワークの動作パラメータを、該新たなネットワーク上の通信が既存のネットワークと干渉しないように設定することを特徴とする、
ワイヤレス端末装置により新たな通信ネットワークを形成する方法。
【請求項２】
請求項１記載の方法において前記端末装置は、
該端末装置から周波数変更がリクエストされた後で、既存のネットワークのアクセスポイントにより該周波数変更が拒否されたケース（Ｅ３）、または、
該端末装置からコネクション確立がリクエストされた後で、既存のネットワークのアクセスポイントにより該コネクション確立が拒否されたケース（Ｅ２）、
のうち少なくとも１つのケースが発生したときに割り当て解除を行うことを特徴とする方法。
【請求項３】
請求項１または２記載の方法において、
既存のネットワークのアクセスポイントが割り当て解除を行うことを特徴とする方法。
【請求項４】
通信媒体とのインタフェース、マイクロプロセッサおよびメモリが設けられているワイヤレス端末装置（ＭＴ）において、
前記メモリ内に付加的に、ネットワークからの端末装置の割り当て解除を実行するプログラム手段（Ｅ４，Ｅ５）と、新たなネットワークを形成する手順を導入するプログラム手段（Ｅ６）が格納されており、該プログラム手段（Ｅ６）において新たなネットワークのアクセスポイントとして端末装置が宣言され、該新たなネットワークの動作パラメータは該新たなネットワーク上の通信が既存のネットワークと干渉しないように設定されていることを特徴とするワイヤレス端末装置。
【請求項５】
請求項４記載のワイヤレス端末装置において、前記プログラム手段は、
該端末装置から周波数変更がリクエストされた後で、既存のネットワークのアクセスポイントにより該周波数変更が拒否されたケース（Ｅ３）、または、
該端末装置からコネクション確立がリクエストされた後で、既存のネットワークのアクセスポイントにより該コネクション確立が拒否されたケース（Ｅ２）、
のうちの１つが発生したときに、既存のネットワークからの割り当て解除を導入することを特徴とする端末装置。
【国際調査報告】
2005537696.tif 000007
2005537696.tif 000008
2005537696.tif 000009